(57)【要約】【課題】従来のアプリケーターの欠点を軽減する。【解決手段】長手方向軸線(X-X)に沿って自由端部(16a)へ延在するシース(16)と、シース(16)に接続されたハンドル(18)と、軸線(X-X)に沿って自由端部(14a)へ延在する中心ステム(14)であって、それとシース(16)とは互いにスライド可能に設けられている中心ステム(14)と、その自由端部(14a)に配置されたアプリケーターヘッド(12)であって、シース(16)はその自由端部(16a)においてアプリケーターヘッド(12)を拭うよう構成されたワイパー部材(17)を形成しているアプリケーターヘッド(12)とを備えた化粧品アプリケーター。シース(16)はさらに、その自由端部(16a)に、半径方向に貫通しかつ軸方向に開口する少なくとも一つのリセス(20)を有する。ステム(14)の長さは、アプリケーターヘッド(12)が、ワイパー部材(17)で拭われている状態で、リセス(20)に面することができるようなものである。【選択図】図１Ａ
2012135615.tif 000002
【特許請求の範囲】
【請求項１】
化粧品アプリケーターであって、
・長手方向軸線(Ｘ‐Ｘ)に沿って自由端部(１６ａ)へと延在するシース(１６)と、
・前記シース(１６)に接続されたハンドル(１８)と、
・長手方向軸線(Ｘ‐Ｘ)に沿って自由端部(１４ａ)へと延在する中心ステム(１４)であって、この中心ステム(１４)および前記シース(１６)は、互いにスライド可能に設けられている中心ステム(１４)と、
・前記中心ステム(１４)の前記自由端部(１４ａ)に配置されたアプリケーターヘッド(１２)であって、前記シース(１６)は、その自由端部(１６ａ)において、前記アプリケーターヘッド(１２)を拭うよう構成されたワイパー部材(１７)を形成しているアプリケーターヘッド(１２)と、を具備してなり、
前記シース(１６)は、さらに、その自由端部(１６ａ)に、それを半径方向に貫通すると共に軸方向に開口する少なくとも一つのリセス(２０)を有し、
前記シース(１６)の壁は、前記リセス(２０)の近傍で、厚み(ｅ２０)の変化を有し、かつ、
前記ステム(１４)の長さは、アプリケーターヘッド(１２)の少なくとも一部が、前記ワイパー部材(１７)によって拭われている状態で、前記少なくとも一つのリセス(２０)の少なくとも一部に面することができるようなものとされていることを特徴とする化粧品アプリケーター。
【請求項２】
前記シース(１６)は、前記ハンドル(１８)に対して非可動状態で設けられており、かつ、前記中心ステム(１４)は、前記シース(１６)に対してスライド可能な状態で設けられていることを特徴とする請求項１に記載の化粧品アプリケーター。
【請求項３】
前記中心ステム(１４)は、前記ハンドル(１８)に対して非可動状態で設けられており、かつ、前記シース(１６)は、前記中心ステム(１４)に対してスライド可能な状態で設けられていることを特徴とする請求項１に記載の化粧品アプリケーター。
【請求項４】
その自由端部(１６ａ)において、前記シース(１６)は、それを半径方向に貫通すると共に軸方向に開口する二つのリセス(２０,２１)を有し、前記リセス(２０,２１)は、前記長手方向軸線(Ｘ‐Ｘ)を中心として対称的に配置されていることを特徴とする請求項１ないし請求項３のいずれか１項に記載の化粧品アプリケーター。
【請求項５】
前記アプリケーターヘッド(１２)は、前記シース(１６)内に、前記アプリケーターヘッド(１２)が前記シース(１６)の外部に位置する使用ポジションと、前記アプリケーターヘッド(１２)が前記シース(１６)内に格納される格納ポジションとの間で、スライド可能に設けられることを特徴とする請求項１ないし請求項４のいずれか１項に記載の化粧品アプリケーター。
【請求項６】
前記ハンドル(１８)は、前記アプリケーターヘッド(１２)が、前記アプリケーターヘッド(１２)がその使用ポジションにある第１のポジションと、前記アプリケーターヘッド(１２)がその格納ポジションにある第２のポジションとの間でポジションを変更することを可能とするアクチュエータ(２６)を備えることを特徴とする請求項１ないし請求項５のいずれか１項に記載の化粧品アプリケーター。
【請求項７】
前記アクチュエータ(２６)は、さらに、弾性部材(２８)を含み、この弾性部材(２８)は、前記ハンドル(１８)内に配置されると共に、前記中心ステム(１４)および前記シース(１６)から選ばれた前記要素の一つに接続されることを特徴とする請求項１ないし請求項６のいずれか１項に記載の化粧品アプリケーター。
【請求項８】
前記弾性部材(８)は、前記アプリケーターヘッド(１２)がその使用ポジションにあるときには、その休止ポジションにあり、かつ、前記アプリケーターヘッド(１２)がその格納ポジションにあるときには、その緊張ポジションにあることを特徴とする請求項１ないし請求項７のいずれか１項に記載の化粧品アプリケーター。
【請求項９】
前記アプリケーターヘッド(１２)はさらに、磁石(１３)および／または磁性あるいは磁化可能粒子を含むことを特徴とする請求項１ないし請求項８のいずれか１項に記載の化粧品アプリケーター。
【請求項１０】
前記アプリケーターヘッド(１２)は、起伏部分を有することを特徴とする請求項１ないし請求項９のいずれか１項に記載の化粧品アプリケーター。
【請求項１１】
塗布用の化粧品(３８)を収容するリザーバ(３６；４２)と、請求項１ないし請求項１０のいずれか１項に記載の化粧品アプリケーター(１０)と、を備えることを特徴とするメーキャップキット。
【請求項１２】
前記化粧品アプリケーター(１０)の前記ハンドル(１８)は、前記リザーバ(４２)のためのストッパーを形成し、かつ、前記リザーバ(４２)は、さらに、前記シース(１６)を拭うよう構成されたワイパー部材(４４)を含み得ることを特徴とする請求項１１に記載のメーキャップキット。
【請求項１３】
前記アプリケーターヘッド(１２)は、さらに、磁石(１３)および／または磁性あるいは磁化可能粒子を含み、かつ、前記化粧品(３８)は、磁性あるいは磁化可能粒子を含むパウダーであることを特徴とする請求項１１または請求項１２に記載のメーキャップキット。
【請求項１４】
表面(４６)に対して化粧品(３８)を塗布するための請求項１１ないし請求項１３のいずれか１項に記載のメーキャップキットの使用法。
【発明の詳細な説明】
【技術分野】
【０００１】
本発明は、化粧品アプリケーター、そうしたアプリケーターを含むメーキャップキット、ならびに、そうしたキットの使用法に関する。
【０００２】
さらに詳しくは、本発明は、
・長手方向軸線に沿って自由端部へと延在するシースと、
・当該シースに接続されたハンドルと、
・長手方向軸線に沿って自由端部へと延在する中心ステム(この中心ステムとシースとは互いにスライド可能に設けられる)と、
・中心ステムの自由端部に配置されたアプリケーターヘッドと、を備え、シースは、その自由端部において、アプリケーターヘッドを拭うよう構成されたワイパー部材を形成している化粧品アプリケーターに関する。
【背景技術】
【０００３】
スライド可能なステムを備えた、そうした化粧品アプリケーターは、たとえば特許文献１から公知であり、これは、テレスコープ式マスカラアプリケーターを開示している。
【０００４】
そうしたアプリケーター(このものでは、ステムはその使用ポジションではシースから突出するが、その休止ポジションにある間は格納される)は、それが使用されていない間、ステムを保護することを可能とする。だが、格納された休止ポジションから、アプリケーターヘッドがシースの外部に存在する使用ポジションまで移動するステムを有する、そうしたアプリケーターの使用法は、アプリケーターヘッドを選択的に拭うことを提供しない。さらに、アプリケーターヘッドの状態は、長い間、シース内の格納ポジションに存在する結果として、極めて速やかに劣化する。
【先行技術文献】
【特許文献】
【０００５】
【特許文献１】米国特許第5,121,763号明細書
【発明の概要】
【発明が解決しようとする課題】
【０００６】
本発明の特定の目的は、上記欠点を軽減することである。
【課題を解決するための手段】
【０００７】
このために、本発明によれば、シースはさらに、その自由端部に、それを半径方向に貫通すると共に軸方向に開口する少なくとも一つのリセスを有し、かつ、ステムの長さは、アプリケーターヘッドの少なくとも一部が、ワイパー部材によって拭われている状態で、少なくとも一つのリセスの少なくとも一部に面することができるようなものとされる。
【０００８】
こうした構成によって、ステムは、リセス内を除き、格納される際に拭われ、これによって、アプリケーターヘッド上に、化粧品の定量化されかつ局所化された超過量がアプリケーターヘッド上に残ることが可能となる。
【０００９】
本発明のさまざまな実施形態においては、以下の構成の一つ以上が採用されてもよく、こうした構成は独立したものであっても、組み合わされてもよい。
・シースは、ハンドルに対して非可動状態で設けられ、かつ、中心ステムは、シースに対してスライド可能な状態で設けられる。
・中心ステムは、ハンドルに対して非可動状態で設けられ、かつ、シースは、中心ステムに対してスライド可能な状態で設けられる。
・その自由端部において、シースは半径方向に貫通すると共に軸方向に開口する二つのリセスを有し、リセスは、長手方向軸線を中心として対称的に配置されている。
・上記リセスは、特にアプリケーターヘッドの一つ以上の局所的ゾーンの上に化粧品を分配することを可能とする形状を有する。
・シースの壁は、リセスの近傍において、厚みが変化する。
・アプリケーターヘッドは、シース内に、このアプリケーターヘッドがシースの外部に位置する使用ポジションと、アプリケーターヘッドがシース内に格納される格納ポジションとの間で、スライド可能に設けられる。
・ハンドルは、アプリケーターヘッドが、アプリケーターヘッドがその使用ポジションにある第１のポジションと、アプリケーターヘッドがその格納ポジションにある第２のポジションとの間でポジションを変更することを可能とするアクチュエータを備える。
・この形態において、アクチュエータは、さらに、弾性部材を含み、この弾性部材は、ハンドル内に配置されると共に、中心ステムおよびシースから選ばれた要素の一つに接続される。
・弾性部材は、アプリケーターヘッドがその使用ポジションにあるときには、その休止ポジションにあり、かつ、アプリケーターヘッドがその格納ポジションにあるときには、その緊張ポジションにある。
・アプリケーターヘッドは、磁石および／または磁性あるいは磁化可能粒子を含む。
・アプリケーターヘッドは、起伏に関して、突起および／または窪み部分を有する。
【００１０】
さらに、本発明はまた、塗布用の化粧品を収容するリザーバと、上述したような化粧品アプリケーターとを備えるメーキャップキットを提供する。化粧品アプリケーターのハンドルはまた、リザーバのためのストッパーを形成してもよく、かつ、リザーバは、さらに、シースを拭うよう構成されたワイパー部材を含んでいてもよい。
【００１１】
アプリケーターヘッドは、さらに、化粧品が磁性あるいは磁化可能粒子を含むパウダーである場合に、磁石および／または磁性あるいは磁化可能粒子を含んでいてもよい。
【００１２】
本発明はまた、表面に対して、たとえば、リップ、爪、および／またはケラチン繊維(まつ毛、眉毛、毛髪、...)に対してあるいは、それを必要とする人体の他の部位に対して、化粧品を塗布するための、そうしたメーキャップキットの使用法を提供する。
【００１３】
本発明に係るアプリケーターの使用法は以下のステップを含む。アプリケーターヘッドは、アプリケーターヘッドに化粧品を付着させるために化粧品リザーバ内に予め漬けられ、すなわち、アプリケーターヘッドがリザーバ内に既に部分的に格納される場合を除いて、化粧品と直接接触状態とされる。第２のステップにおいては、ユーザーは、アプリケーターの上に選択的に配分された化粧品を用いて表面をメーキャップする準備が整うようシースから外にヘッドを突出させる前に、リセス内を除いて余剰な化粧品を拭い取るために、シース内へとアプリケーターヘッドを後退させる。
【００１４】
本発明およびその利点は、非限定的な実施例として示した本発明の実施形態に関する以下の説明からより明らかとなる。
【図面の簡単な説明】
【００１５】
【図１Ａ】本発明に係るアプリケーターの長手方向断面図であり、アプリケーターヘッドはその使用ポジションにある。
【図１Ｂ】図１Ａのアプリケーターの長手方向断面図であり、アプリケーターヘッドはその格納ポジションにある。
【図２Ａ】図１Ａのアプリケーターを示す図である。
【図２Ｂ】図１Ｂのアプリケーターを示す図である。
【図３Ａ】別な実施形態におけるアプリケーターの長手方向断面図であり、アプリケーターヘッドはその使用ポジションにある。
【図３Ｂ】図３Ａのアプリケーターの長手方向断面図であり、アプリケーターヘッドはその格納ポジションにある。
【図４Ａ】シースの自由端部における図２Ａのアプリケーターの拡大斜視図であり、リセスを示している。
【図４Ｂ】シースの自由端部における図２Ｂのアプリケーターの拡大斜視図であり、リセスを示している。
【図５Ａ】変形例におけるアプリケーターのリセスの拡大斜視図である。
【図５Ｂ】別な変形例におけるアプリケーターのリセスの拡大斜視図である。
【図６Ａ】別な変形例におけるアプリケーターのリセスの拡大斜視図である。
【図６Ｂ】別な変形例におけるアプリケーターのシースの自由端部における拡大斜視図であり、シースは二つのリセスを含んでいる。
【図７】変形例におけるアクチュエータを示すアプリケーターの断片的斜視図である。
【図８】別な変形例におけるアクチュエータを示すアプリケーターの断片的長手方向断面図である。
【図９Ａ】本発明に係るアプリケーターヘッドの細部を示す図である。
【図９Ｂ】別な変形例におけるアプリケーターヘッドの細部を示す図である。
【図９Ｃ】別な変形例におけるアプリケーターヘッドの細部を示す図である。
【図１０】本発明に係るメーキャップキットを示す図である。
【図１１】本発明に係るメーキャップキットを示す図である。
【図１２】本発明に係るメーキャップキットの使用状態を示す概略図である。
【発明を実施するための形態】
【００１６】
各図中、同じ参照数字は、同一あるいは類似の要素を示している。
【００１７】
図１Ａおよび図１Ｂは、第１実施形態に関する化粧品アプリケーター１０を示しており、これは、長手方向軸線Ｘ−Ｘに沿って延在する中心ステム１４の自由端部１４ａに配置されたアプリケーターヘッド１２を含んでいる。中心ステム１４は、シース１６内にスライド可能に設けられるが、これもまた長手方向軸線に沿って延在する。シース１６は、その端部１６ｂにおいて、ハンドル１８に対して、非可動状態で取り付けられ、一方、その逆側端部１６ａは自由である。
【００１８】
アプリケーターヘッド１２は、シース１６内に、アプリケーターヘッドがシース１６の外部に位置する(図１Ａに示すような)使用ポジションと、アプリケーターヘッド１２がシース１６内に格納される(図１Ｂに示すような)格納ポジションとの間で、スライド可能に設けられる。使用ポジションは、アプリケーターヘッド１２に化粧品を付着させるためのおよび／または塗布される表面に当該化粧品を塗布するためのアプリケーターの使用ポジションに対応し、一方、格納ポジションは、アプリケーターヘッド１２を拭うためにユーザーが意図的に取ることを強いるポジションに対応する。
【００１９】
さらに詳しくは、中心ステム１４の自由端部１４ａは、使用ポジション(図１Ａ)において、シース１６の自由端部１６ａの近傍に位置させられ、一方、中心ステム１４の自由端部１４ａは、その格納ポジションにおいて、シース１６の内部に配置される(図１Ｂ)。
【００２０】
その自由端部１６ａにおいて、シース１６はワイパー部材１７を形成するが、これは、アプリケーターヘッドがその使用ポジションからその格納ポジションへと移動している間に、アプリケーターヘッド１２を拭うよう構成されている。特に、その使用ポジション(図１Ａ)において、アプリケーターヘッド１２は、好ましくは、シース１６の外部に、その長さの全部あるいは一部にわたって位置させられ、一方、格納ポジション(図１Ｂ)においては、アプリケーターヘッド１２は、好ましくは、シース１６内に完全に配置されるが、アプリケーターヘッドの自由端部１２ａはまた、好ましくは、その自由端部１６ａまで、完全に、アプリケーターヘッドを拭き取るために、シース１６内に格納される。
【００２１】
図３Ａおよび図３Ｂは、別な実施形態に関する化粧品アプリケーターを示しており、このものでは、中心ステム１４の自由端部１４ａに配置されたアプリケーターヘッド１２は、ハンドル１８に対して、非可動状態で取り付けられ、一方、シース１６は、アプリケーターヘッド１２に対して、かつ、ハンドル１８に対して動くことができる。図１Ａおよび図１Ｂの実施形態に対するこうした差異は別にすると、アプリケーターヘッド１２は、同様に、アプリケーターヘッドがシース１６の外部に位置する(図３Ａに示す)使用ポジションと、アプリケーターヘッド１２がシース１６内に格納される(図３Ｂに示す)格納ポジションとをとる。
【００２２】
図３Ａおよび図３Ｂに示す化粧品アプリケーター１０のステム１４は、有利なことには、シース１６に対する所与の向きでハンドル１８に対して固定されてもよい。アプリケーターヘッド１２は、したがって、各格納／突出時に同じ様式でシース１６内でスライドし、そして、これは、ワイパー部材１７においてシース１６内にアプリケーターヘッド１２が挿入される様式に依存しない。
【００２３】
したがって、そうした構造によって、拭き取りを完全に再現可能なものとすることができる。特に、アプリケーターヘッド１２の、そしてシース１６のワイパー部材１７の断面が異なる場合、あるいは断面は同一であるが円形ではない場合に、磨耗現象を制限するために、アプリケーターヘッド１２の断面の、そしてシース１６のワイパー部材１７の断面の形状に影響を受けないようにすることもまた可能である。両方の断面が同一でかつ円形である場合にのみアプリケーターヘッド１２がシース１６のワイパー部材１７内に入る様式によって影響を受けないようにすることが可能である。
【００２４】
例として(図示せず)、三角形である断面のアプリケーターヘッド１２およびワイパー部材１７に関して、アプリケーターヘッド１２を再現可能な様式で拭うこと、および／または、一般的なアプリケーターによって損耗を回避することはできない。というのは、三角形の頂点の、より完全な拭き取りを回避することが望まれる場合に、ユーザーは、三角形が別な三角形内に進入することが可能なただ三つの向きの間で、全く容易に選択できないからである。
【００２５】
アプリケーターヘッド１２の向きがシース１６のワイパー部材１７に対して選択的に決定可能な、本発明に係るアプリケーターのこの実施形態によって、損耗を制限しながら再現可能な様式でアプリケーターヘッド１２を拭うことが、あるいは三角形断面のアプリケーターヘッド１２の頂点を選択的に拭うことさえ可能になり、この結果、当該頂点にはあまり大量の化粧品は付着させられないので、それらは「コーミング」ゾーンを構成し、他の部分にはより大量の化粧品が付着させられるので、それらは「ローディング」ゾーンを構成する。
【００２６】
この実施形態は、したがって、アプリケーターヘッド１２を異なる様式で拭うことを可能とし、当該アプリケーターヘッド１２のある領域が選択的にかつ異なる様式で拭われることを可能とする。さらに、この実施形態によれば、ハンドル１８上に配置された把持手段に対して、以下で説明するように、リセス２０,２１によってアプリケーターヘッド１２上に形成された充填ゾーンを位置決めすることが可能である。快適な使用はこうして容易なものとなる。というのは、把持手段が保持される方式に依存する所望のポジションにアプリケーターヘッド１２を置くために、アプリケーター１０を方向付ける必要はないからである。任意選択でアプリケーターヘッド１２上の化粧品付着ゾーンのポジションと組み合わせて、その断面の形状に依存して、アプリケーターヘッド１２を選択的に方向付けることも可能である。
【００２７】
いかなる実施形態でも(可動アプリケーターヘッド１２あるいは可動シース６)、シース１６はさらに、その自由端部１６ａに、そしてたとえば図２Ａに示すように、少なくとも一つのリセス２０を有し、これは、シース１６を半径方向に貫通し、かつ、シースの自由端部１６に向かって軸線Ｘ−Ｘに沿って軸方向に開口している。
【００２８】
各リセス２０はワイパー部材１７の破断領域を形成する。シャフト１６および中心ステム１４は、円柱状に長手方向軸線Ｘ−Ｘに沿って延在し、ワイパー部材１７は、図４Ａに分かりやすく示すように、シース１６の自由端部１６ａの周縁に形成されている。
【００２９】
図２Ｂはその格納ポジションで化粧品アプリケーター１０を示しており、アプリケーターヘッド１２の端部１２ａはシース内に完全に挿入されている。アプリケーターヘッド１２の一部がリセス２０を経て認識可能である。リセス２０内に配置されたアプリケーターヘッド１２の一部１２ｃはワイパー１７によって拭われず、一方、アプリケーターヘッドの残部(部分１２ｄ)は、このアプリケーターヘッドがシース１６内に格納されるときはいつでも拭われることに留意されたい。
【００３０】
さらに正確には、アプリケーターヘッド１２とシース１６との間で利用可能なスペース２２の寸法特性は、アプリケーターヘッド１２の拭い作用に直接的な影響を持つ。スペース２２が狭くなればなるほど、拭い作用は強くなることに留意されたい。
【００３１】
リセス２０は、好ましくは、軸線Ｘ−Ｘに沿って長手方向に延在し、しかも、所望の用途に応じて、さまざまな形状を有することができる。図２Ａ−２Ｂ、および４Ａ−４Ｂにおいて、リセス２０は長円形状であるが、図５Ａに詳しく示すリセスは、チューブの端部１６ａに配置されたベース２０ａを備えた錐形状であり、一方、リセス２０の錐の頂点２０ｂはチューブ１６の端部１６ａから離間している。当然ながら、当該リセスの形状がいかなるものであろうと、部分１２ｃはリセス２０の形状に対応した形状である。錐形状リセス１２ｃに関して、図５Ａに示すように、ステム１２ｃの非拭い部分１２ｃは、自由端部１２ａに向かって段階的に開拡する形状である。
【００３２】
したがって、リセス２０は、シース１６によって拭われない部分１２ｃ(すなわち、より大量に化粧品が充填される部分)を画定するように、さまざまな形状のものであってもよく、この部分は、任意選択で、軸線Ｘ−Ｘに沿って実質的に一定である幅ｌを有する。
【００３３】
たとえば、図５Ａは、シース１６の自由端部６ａから離れるにつれてＸ−Ｘに沿って減少する幅ｌを有する開拡形状のリセス２０を示している。
【００３４】
リセス２０はまた、おそらくは図５Ａに示すような開拡形状と組み合わされた段付き形状であってもよい。
【００３５】
さらに、たとえば図６Ａに示すように、シース１６の壁には、シース１６によってアプリケーターヘッド１２が拭われる力を変更するために、リセス２０の近傍において、厚みｅ２０に変化が存在してもよい。シース１６内でアプリケーターヘッド１２のために利用可能な自由スペースが大きくなればなるほど、アプリケーターヘッド１２はますます拭われなくなる。だが、所与のアプリケーターヘッド１２に関して、利用可能な自由スペースの大きさは、シース１６の内壁の厚みｅ２０に依存する。したがって、拭い力は、シース１６の内壁の厚みｅ２０によって変化する。厚みｅ２０が大きくなればなるほど、拭い力はますます大きくなる。
【００３６】
特に、たとえば図６Ａに示すように、リセス２０の壁の厚みｅ２０は、好ましくはシース１６の自由端部１６ａからリセス２０'の端部へと漸進的に増大するように変化する。シース１６は、さらに、少なくとも第２のリセスを有していてもよい。さまざまなリセスは、類似していても、異なっていてもよい。リセスは、好ましくは、シース１６の自由端部１６ａに、長手方向軸線Ｘ−Ｘを中心として対称的に割り当てられる。
【００３７】
特に、図６Ｂに示すように、シース１６は、半径方向にそれを貫通し、かつ、軸方向に開口する第２のリセスを有し、第１のリセス２０および第２のリセス２１は、長手方向軸線Ｘ−Ｘを中心として対称的に配置される。
【００３８】
所望のメーキャップ効果へとアプリケーターの機能を適合させるために、シース１６のリセス２０,２１のポジションおよびその形状特性を組み合わせることが可能であることは明らかである。
【００３９】
アプリケーターヘッド１２をあるポジションから別なポジションへと移動させるために、化粧品アプリケーターは、好ましくは、中心アーム１４に接続されたアクチュエータを備える。特に、図１Ａ−１Ｂおよび２Ａ−２Ｂに示すように、ハンドル１８はスロット２４を有し、その中でアクチュエータ２６が動作できる。
【００４０】
アクチュエータ２６は、図１Ａおよび１Ｂに示すような第１のポジション(このポジションではアプリケーターヘッドはその使用ポジションにある)と、図１Ｂおよび２Ｂに示すような第２のポジション(このポジションではアプリケーターヘッド１２はその格納ポジションにある)との間で動作可能である。その格納ポジションからその使用ポジションへとアプリケーターヘッドを動作させるためのその他の機構、たとえば、リップスティックのために使用されるような回転式の機構なども可能である。そうしたタイプの機構では、ケーシングのポジションの回転動作によってアプリケーター要素は並進移動させられる。そうしたタイプの機構は、円形断面を有するアプリケーターヘッドおよびシースにとって好ましい。
【００４１】
スロット２４は、図７に示すようにバイオネット形状であってもよく、こうした形態においては、アクチュエータ２６は、第１の端部２４ａ(ここで、それはその第１のポジションでロックできる)と、第２の端部２４ｂ(ここで、それはその第２のポジションでロックできる)との間を自由にスライドできる。これら二つの末端ポジション間で、アクチュエータ２６は、それが動作させられるときにはいつでも、中心スロット２４ｃに沿って自由にスライドできる。
【００４２】
アプリケーターヘッドがハンドル１８に対して動作可能であるとき、アクチュエータ２６は、図１Ａに示すように、中心ステム１４に対して、直に、あるいは、アクチュエータ２６の動作によってシース内でステム１４がスライドすることを可能とする別な手段によって接続される。
【００４３】
だが、シース１６が可動であるとき、アクチュエータ２６は、図３Ａに示すように、シース１６に対して、直に、あるいは、アクチュエータ２６の動作によってステム１４の周囲でシース１６がスライドすることを可能とする別な手段によって接続される。
【００４４】
弾性手段が、この目的のために、そしてまたアクチュエータ２６を使用ポジションに向かって復帰させるために、設けられてもよい。
【００４５】
特に、図１Ａ−１Ｂに分かりやすく示すように、アプリケーターヘッドがハンドル１８に対して動作可能であるとき、弾性部材２８は、(自由端部１４ａから離間した)ステム１４のトレーリング端部１４ｂとハンドル１８の上端壁１８ｂとの間に収容される。このために、ハンドル１８の長手方向壁は、その中に弾性部材２８が閉じ込められるチャンバーを形成するために、トレーリング端部１８ｂおよびリーディング端部１８ａと協働する。そのトレーリング端部１８ｂにおいて、チャンバー３０は中心ピン３２を備えてもよく、これは、特に、図に示すように、それが螺旋コイルスプリングである場合に、弾性部材２８が中心に置かれることを可能とする。さらに、ステム１４のトレーリング端部１４ｂは、同じ機能を有する別なピン３４を同様に備えてもよい。コイルスプリング２８は、好ましくは、圧縮スプリングであり、したがって、使用ポジションはその中立ポジションに対応する。アクチュエータ２６がその第２のポジション(このポジションではそれはユーザーによって保持される)にあり、続いて、解放されるときにはいつでも、コイルスプリング２８は弛緩し、そしてステム１４をシース１６から外へと駆動する。
【００４６】
ステム１４がシース内で安定した様式でスライドすることを保証するために、ステム１４のトレーリング端部１４ｂはスリーブ３５を備えてもよく、これは、第一に、チャンバー３０内でスライドするように、そして第二に、スプリング２８のターンのいくつかを、特にその数本を収容するように構成される。
【００４７】
チャンバー３０のリーディング端部１８ａはまたスリーブ３５用の当接部を形成する。シース１６はしたがって、その自由端部６ａとチャンバーのリーディング端部１８ａとの間で延在する。したがって、ステム１５は、シース１６と実質的に同軸状にスライド可能である。
【００４８】
図３Ａ−３Ｂに分かりやすく示すように、ハンドル１８に対してシース１６が移動可能であるとき、弾性部材２８は(自由端部１６ａから離間した)シース１６のトレーリング端部１６とチャンバー３０のリーディング端部１８ａとの間に収容される。このために、ハンドル１８の長手方向壁は、その中に弾性部材２８が閉じ込められるチャンバー３０を形成するために、トレーリング端部１６ｂおよびリーディング端部１８ａと協働する。弾性部材２８は、特に、図に示すように、それが螺旋コイルスプリングである場合に、シース１６と同軸状に設けられることによって、チャンバー内で中心に置かれる。コイルスプリング２８は、好ましくは、圧縮スプリングであり、したがって、使用ポジションはその中立ポジションに対応する。アクチュエータ２６がその第２のポジション(このポジションではそれはユーザーによって保持される)にあるとき、解放されるときにはいつでも、コイルスプリング２８は弛緩し、そしてステム１４に対して、さらに正確にはアプリケーターヘッド１２に対してシース１６を駆動する。
【００４９】
シース１６がステム１４の周囲で安定した様式でスライドすることを保証するために、ハンドルは中心ピン３２を備えてもよく、これは、ステム１４がハンドル１８に対して固定されることを可能とする。
【００５０】
さらに、シース１６のトレーリング端部１６ｂはスリーブ３５を備えてもよく、これは、第一に、チャンバー３０内でスライドするように、そして第二に、スプリング２８のターンのいくつかを、特にその数本を収容するように構成される。チャンバー３０のリーディング端部１８ａはまた、スリーブ３５のために当接部を形成する。
【００５１】
スプリング２８の存在によって、スロット２４を簡素化することが可能となり、その結果、それは、もはや、図７に示すようなバイオネット形状を必要とせず、図２Ａから分かるように、単に長手方向軸線Ｘ−Ｘに沿って延在する直線形であればよい。弾性部材は、図１Ａ−１Ｂに示すように、コイルスプリング２８であってもよいが、たとえば図８に示すように、リーフスプリングによって、あるいは公知のタイプのその他の弾性部材によって置き換えることも同様に可能である。
【００５２】
さらに、アプリケーターヘッド１２はいかなる種類のものであってもよい。特に、それは、剛体金属コアおよびブリストルからなるブラシ、任意選択でブリストル(図示せず)を備える成形および／または射出形成プラスチック素材からなるブラシ、あるいはフロック加工されたエンドピースであってもよい。それはまた金属からなっていてもよい。金属からなる場合、アプリケーターヘッド１２は、好ましくは、図面に示すように、そして図９Ａにより詳しく示すように、ネジなどの螺旋形状とされる。別な変形例では、化粧品アプリケーター１０はさらに、アプリケーターヘッド１２に配置された磁石１３を備えてもよく、これは、図９Ｂに示すように、この目的のためのハウジングを備え、あるいはアプリケーターヘッド１２は、特にそれが金属からなる場合、それ自身が磁化されてもよい。アプリケーターヘッド１２は、同様に、磁界を形成できる磁化可能な粒子を含む素材からなっていてもよい。「磁化可能な粒子」との用語は、実施形態の一つにおいて以下で述べるように、アプリケーターヘッドのためのあるいは化粧品のための、それらを磁化するために使用される磁界にさらされたとき磁界を発生させることができる粒子を意味する。当該粒子は、アプリケーターヘッドおよび／または化粧品が製造された後に磁化されてもよく、あるいは、それらは、アプリケーター自体にあるいは本発明に係るメーキャップキットに含まれる磁石によって磁化されてもよい。こうした磁気特性は、以下で詳しく説明するように化粧品アプリケーター１０を用いて塗布される化粧品がまたそうした磁気特性を有する場合に、特に望ましい。
【００５３】
別な変形例においては、アプリケーターヘッド１２は起伏部分(突起および／または窪み)を有してもよい。特に、たとえば図９Ｃに示すように、アプリケーターヘッド１２は、好ましくはアプリケーターヘッド１２の表面上に規則正しく割り当てられた複数の突起１５を備えてもよい。この形態では、アプリケーターヘッド１２は、好ましくは、射出成形によって得られる。
【００５４】
図１０は、化粧品３８を含むリザーバ３６と、上述したような化粧品アプリケーター１０とを含むメーキャップキットを示す。このメーキャップキットは、リザーバ３６およびアプリケータ１０をそれぞれ収容するよう構成されたハウジングを備えたコンパクト４０内に収容可能である。リザーバ３６と同様、コンパクト４０はさまざまな形状のものであってもよく、任意選択で蓋を備えてもよい。
【００５５】
メーキャップキットはまた、長手方向軸線Ｘ−Ｘに沿って延在する円筒形リザーバの形態であってもよく、この形態では、アプリケーター１０のハンドル１８はリザーバ４２のためのストッパーを形成し、かつ、図１１に示すように、ハンドル１８がリザーバ４２に近づいたとき、アプリケーターヘッド１２が塗布用の化粧品３８内に漬かるように配置される。リザーバ４２はさらにワイパー部材４４を備えてもよく、これは、シースがリザーバ４２から取り出されたとき、シース１６を拭うことを可能とする。
【００５６】
そうしたメーキャップキットは、特に、唇、爪、あるいはケラチン繊維、特に睫毛に対して化粧品を塗布するためのものであり、そして化粧品、特にマスカラを適切に軽量し、正確に塗布することを可能とする。
【００５７】
化粧品アプリケーターは、好ましくは、以下のようにして使用可能である。
【００５８】
図１０に示すようなメーキャップキットから始まって、コンパクト４０に形成されたそのハウジングからアプリケーター１０を取り出した後、ユーザーは、アプリケーターヘッド１２に化粧品３８を大量に付着させる(アプリケーターヘッド１２は、シース１６の外部で、その使用ポジションにある)。
【００５９】
ユーザーは、続いて、ワイパー部材１７によって余剰化粧品３８を拭い取るためにアクチュエータ２６によってシース１６内にアプリケーターヘッドを格納する。これを行うために、(図１Ｂおよび２Ｂに示すように)ユーザーはアクチュエータ２６をその第２のポジションへとスライドさせ、続いて、アクチュエータ２６を解放するが、これは、続いて、アプリケーターヘッド１２がシース１６の外側に位置するその第１のポジションへと自然に復帰する。この操作の間、アプリケーターヘッド１２は、こうして、ワイパー１７と接触状態となるとき、部分１２ｄにおいて余剰な化粧品３８が除去され、一方、リセス２０に面するステムの部分に対応する部分１２ｃには化粧品３８が付着したままである。
【００６０】
ユーザーは、続いて、図１２に示すように、塗布を必要とする表面、たとえば、唇、爪、あるいは、たとえば睫毛４６などのある種のケラチン繊維に対して化粧品を塗布することになる。
【００６１】
睫毛４６をコートするために、ユーザーは、好ましくは、より大量に化粧品３８が付着させられた部分１２ｃを用いることによって着手し、そして、アプリケーターヘッド１２の先に拭われた部分１２ｄによって睫毛４６の上に化粧品を広げることによって継続する。こうした処理の間、アクチュエータ２６は、化粧品が付着させられたアプリケーターヘッド１２の部分１２ｃのポジションを位置決めすることをユーザーにとって容易なものとする。なぜなら、それらは、好ましくは、長手方向軸線Ｘ−Ｘに沿って互いに整列状態であるからである。
【００６２】
化粧品アプリケーター１０が、磁石１３をさらに含むアプリケーターヘッド１２を含む場合、アプリケーターヘッド１２はまた、磁気吸引力によって化粧品３８が付着させられる。好ましくは、化粧品３８は、酸化鉄(Ｆｅ３Ｏ４)、あるいは、それに対して所望の磁気特性を付与する類似の成分を含む。有利なことには、化粧品は、上記酸化鉄などを含む真珠層を含む。
【００６３】
この特定の実施形態では、メーキャップキットは、有利なことには、磁性あるいは磁化可能パウダーの形態の化粧品３８を用いて表面をメーキャップするために使用可能であり、当該パウダーは、吸引力によってアプリケーターヘッド上で保持される。そうしたメーキャップキットは、睫毛の表面がマスカラなどの第１の化粧品３８によってコートされた後、特に、パウダー形態で睫毛に対して磁性化粧品を塗布するの好適である。
【００６４】
さらに、そして概して、本発明に係るメーキャップキットは、特に、十分にあるいは部分的に、第１の化粧品３８を既に受け取った表面に対して、第２の化粧品３８を載せるのに適合させられる。
【００６５】
たとえば、第１のマスカラが、従来技術の公知のアプリケーターによって(あるいは本発明に係る第２のアプリケーターによって)睫毛に対して塗布され、続いて、装飾効果が本発明に係るメーキャップによって施されるが、当該キットは、たとえば仕上げタッチなどの非常に局所的な塗布を実施するのに適合される。
【００６６】
図１１に示すメーキャップキットに関して、ユーザーは、(リザーバ４２上にネジ留め可能な)ハンドル１８を把持することによってリザーバ４２からストッパー１８を取り出す。余剰な化粧品は、こうして、ワイパー４４によって、この操作の間にシース１６から拭い取られ、そして、続いて、ユーザーは、図１０のメーキャップキットに関して上述したのと同じ処理を実施する。
【符号の説明】
【００６７】
１０  化粧品アプリケーター
１２  アプリケーターヘッド
１４  中心ステム
１４ａ  自由端部
１６  シース
１７  ワイパー部材
１８  ハンドル
２０  リセス
２６  アクチュエータ
２８  弾性部材
３０  チャンバー
３２  中心ピン
３４  ピン
３５  スリーブ
【図１Ａ】
2012135615.tif 000003
【図１Ｂ】
2012135615.tif 000004
【図２Ａ】
2012135615.tif 000005
【図２Ｂ】
2012135615.tif 000006
【図３Ａ】
2012135615.tif 000007
【図３Ｂ】
2012135615.tif 000008
【図４Ａ】
2012135615.tif 000009
【図４Ｂ】
2012135615.tif 000010
【図５Ａ】
2012135615.tif 000011
【図５Ｂ】
2012135615.tif 000012
【図６Ａ】
2012135615.tif 000013
【図６Ｂ】
2012135615.tif 000014
【図７】
2012135615.tif 000015
【図８】
2012135615.tif 000016
【図９Ａ】
2012135615.tif 000017
【図９Ｂ】
2012135615.tif 000018
【図９Ｃ】
2012135615.tif 000019
【図１０】
2012135615.tif 000020
【図１１】
2012135615.tif 000021
【図１２】
2012135615.tif 000022